(57)【要約】      （修正有）【課題】チェーンの盛り上がりによる搬送トラブルを招くことなく、炉の後段部分における炉内匣鉢の整列の乱れを防止することができるローラハースキルンを提供する。【解決手段】ローラハースキルンは、炉長方向に複数の駆動ユニットに分割される。各駆動ユニットは、モータ３によって回転される駆動シャフト５により各ローラ２を回転させる駆動機構を備える。温度が降下する炉の後段部分においては、後側の駆動ユニットのワーク搬送速度がその前側の駆動ユニットのワーク搬送速度と同等以下になるように設定し、熱収縮によりローラ上で匣鉢相互間に隙間ができることをなくし、炉内匣鉢の整列の乱れを防ぐ。【選択図】図５
0003173374.tif 000002
【実用新案登録請求の範囲】
【請求項１】
炉長方向に複数の駆動ユニットに分割されたローラハースキルンであって、
各駆動ユニットは、モータによって回転される駆動シャフトにより各ローラを回転させる駆動機構を備え、
かつ、温度が降下する炉の後段部分においては、後側の駆動ユニットのワーク搬送速度がその前側の駆動ユニットのワーク搬送速度と同等以下に設定されていることを特徴とするローラハースキルン。
【請求項２】
炉の後段部分における（後側の駆動ユニットのワーク搬送速度／その前側の駆動ユニットのワーク搬送速度）の値が、０．９５から１.００の範囲に設定されていることを特徴とする請求項１に記載のローラハースキルン。
【請求項３】
ローラが匣鉢を搬送するものであることを特徴とする請求項１に記載のローラハースキルン。
【考案の詳細な説明】
【技術分野】
【０００１】
本考案は、匣鉢に充填した電子デバイス用の紛体などを加熱するために使用されるローラハースキルンに関するものである。
【背景技術】
【０００２】
加熱炉には多くの種類があるが、電子工業用部品やその原料粉末等の加熱には、炉からの持ち出し熱量が小さく、かつ炉内雰囲気を制御し易いローラハースキルンが広く使用されている。加熱対象となる粉体等は匣鉢と呼ばれるセラミック製の容器に収納され、ローラ上を走行しながら所定の温度に加熱される。
【０００３】
周知のように、ローラハースキルンは、多数のローラを所定ピッチで炉長方向に配列するとともに、各ローラを同一方向に回転させてワークを搬送しながら加熱する形式の炉である。多数のローラを同一方向に回転させるために、特許文献１に示すように各ローラに設けたスプロケットを、走行する無端チェーンによって駆動する構造が一般的である。しかし炉長が長くなると全体を単一の駆動チェーンによって駆動することが困難となるため、炉長方向に複数の駆動ユニットに分割した構造を採用することが多い。
【０００４】
この場合には、一つの駆動ユニットは５−６ｍ程度であるが、戻り側も含めると１本の無端チェーンの長さは１０ｍ以上となり、温度変化や張力変化に対応するチェーンの伸びは数ｃｍに達することがある。このため図１に示すように、チェーンに十分な弛みを持たせておく必要がある。
【０００５】
多くの場合、ワークは匣鉢に充填された状態でローラ上を搬送されるが、炉内匣鉢の整列の乱れを防ぐために、匣鉢は前後方向に間隔を明けずに密着させた状態で搬送することが望ましい。炉内匣鉢の整列の乱れの原因は、ローラの寸法精度、駆動装置の据付精度の問題などさまざまであるが、加熱炉の場合には温度変化に伴う匣鉢の膨張・収縮の影響が大きい。
【０００６】
すなわち、匣鉢は最高温度域を通過した後は次第に温度が低下するために不可避的に熱収縮することとなり、炉の後段部分においては、相互に間隔が開く傾向となる。そこで炉内匣鉢の整列の乱れを避けるために炉の後段部分の駆動ユニットのワーク搬送速度を低下させる試みもなされている。
【０００７】
しかし後側（下流側）の駆動ユニットのワーク搬送速度を低下させた場合には、前側（上流側）の駆動ユニットから送り出されてきた匣鉢によって後側の駆動ユニット上の匣鉢が押されることとなる。この結果、図２に示すように匣鉢によって後側の駆動ユニットのローラが設定速度より高速で過剰回転されることとなる。その結果、チェーンが設定速度よりも高速で送られ、下流側のチェーンがその支持レール上で山状に盛り上がることがある。このような状態となるとチェーンと各ローラのスプロケットとのかみ合わせがうまくできなくなり、搬送トラブルとなるおそれがある。従って従来は炉の後段部分の駆動ユニットのワーク搬送速度を思うように低下させることができなかった。
【先行技術文献】
【特許文献】
【０００８】
【特許文献１】特開平１０−７８２９０号公報
【考案の概要】
【考案が解決しようとする課題】
【０００９】
従って本考案の目的は上記した従来の問題点を解決し、チェーンの盛り上がりによる搬送トラブルを招くことなく、炉の後段部分における炉内匣鉢の整列の乱れを防止することができるローラハースキルンを提供することである。
【課題を解決するための手段】
【００１０】
上記の課題を解決するためになされた本考案のローラハースキルンは、炉長方向に複数の駆動ユニットに分割されたローラハースキルンであって、
各駆動ユニットは、モータによって回転される駆動シャフトにより各ローラを回転させる駆動機構を備え、
かつ、温度が降下する炉の後段部分においては、後側の駆動ユニットのワーク搬送速度がその前側の駆動ユニットのワーク搬送速度と同等以下に設定されていることを特徴とするものである。
【００１１】
なお、炉の後段部分における（後側の駆動ユニットのワーク搬送速度／その前側の駆動ユニットのワーク搬送速度）の値が、０．９５から１.００の範囲に設定されていることが好ましい。また好ましい実施形態においては、ローラは匣鉢を搬送するものである。
【考案の効果】
【００１２】
本考案のローラハースキルンは、駆動シャフトにより各ローラを回転させる駆動機構を用いたので、前側の駆動ユニットから送り出されてきた匣鉢によって後側の駆動ユニット上の匣鉢が押された場合にも、従来のようにチェーンの盛り上がりが生ずることはない。このため、温度が降下する炉の後段部分において、駆動ユニット毎のワーク搬送速度を、後側の駆動ユニットのワーク搬送速度がその前側の駆動ユニットのワーク搬送速度と同等以下となるように設定することができる。この結果、温度降下に伴なって匣鉢の収縮が生じた場合にも匣鉢間に間隙が発生することがなくなり、炉内匣鉢の整列の乱れを防止することができる。このような本考案の効果は温度降下ゾーンが複数ゾーンである場合に特に顕著である。また、炉の後段部分における（後側の駆動ユニットのワーク搬送速度／その前側の駆動ユニットのワーク搬送速度）の値が、０．９５から１.００の範囲にあるときに特に効果的である。
【図面の簡単な説明】
【００１３】
【図１】従来のチェーン駆動式の駆動ユニットの説明図である。
【図２】従来のチェーン駆動式の駆動ユニットの問題点を示す部分拡大図である。
【図３】本考案のローラハースキルンの駆動ユニットの説明図である。
【図４】本考案のローラハースキルンの駆動ユニットの拡大図である。
【図５】本考案のローラハースキルンの駆動ユニットの平面図である。
【図６】ねじ歯車の斜視図である。
【図７】本考案のローラハースキルンの全体図である。
【考案を実施するための形態】
【００１４】
以下に本考案の実施形態を説明する。
図３は本考案のローラハースキルンの駆動ユニットを示す図である。この実施形態では一つの駆動ユニット１の長さは約５ｍであり、従来と同様に多数のローラ２が一定ピッチで配置されている。同一構造の駆動ユニット１を複数直列に接続して図７に示すようなローラハースキルンが構成されている。各駆動ユニット１はモータ３を備えており、同一の駆動ユニット１に属するローラ２は全て同一速度で回転駆動される。ローラ２は高温強度に優れたＳｉＣ製とすることが好ましく、特にＳｉを含浸させたＳｉ−ＳｉＣ製とすることが好ましい。
【００１５】
前記したように、従来のローラハースキルンのローラ２はチェーン駆動されるのが一般的であったが、本考案のローラハースキルンは、駆動シャフトによる駆動機構が用いられている。この実施形態では、図４と図５に示すように、各ローラ２の端部にはねじ歯車４が固定されている。また図４に示すように、各ローラ２のねじ歯車４の下側位置には駆動ユニット１の全長にわたって延びる駆動シャフト５が軸受６によって支持されている。この駆動シャフト５には各ローラ２のねじ歯車４と噛み合うねじ歯車７が設けられている。なおねじ歯車４、７は、図６に示すように直交する２軸間で回転力を伝達する機能を有する直交歯車である。ただし駆動シャフト５から各ローラ２への駆動力の伝達手段は、必ずしもねじ歯車４に限定されるものではない。
【００１６】
この駆動シャフト５にはスプロケット８が固定されており、チェーン９を介して原動軸１０と連結されている。この原動軸１０はモータ３、減速機１１、トルクリミッタ１２と連結されており、設定された速度で回転される。この結果、同一駆動ユニット１内の全てのローラ２は同一速度で回転され、仮にローラ２上の匣鉢が押された場合にも、従来のようにチェーンの盛り上がりが生ずることはない。なお、トルクリミッタ１２は駆動系に何らかのトラブルが発生した場合に機器を保護する機能を発揮するものである。
【００１７】
図７に示すように、同一構造の駆動ユニット１を複数直列に接続してローラハースキルンが構成されている。前記したように、温度が降下する炉の後段部分において匣鉢の収縮が発生する。図７の上部に炉内の温度を示した。図７の実施形態においては、５つの駆動ユニット１が直列に接続されて全長２５ｍのローラハースキルンを構成しており、１番目の駆動ユニット１が昇温ゾーン、２番目の駆動ユニット１が高温保持ゾーン、３番目以降の駆動ユニット１が降温ゾーンに対応している。
【００１８】
本考案では、温度が降下する炉の後段部分においては、後側の駆動ユニットのワーク搬送速度がその前側の駆動ユニットのワーク搬送速度と同等以下に設定する。具体的には、例えば１番目と２番目の駆動ユニット１のワーク搬送速度を１００％とした場合、３番目の駆動ユニット１のワーク搬送速度を９９.７％とし、４番目の駆動ユニット１のワーク搬送速度を９９.４％とし、５番目の駆動ユニット１のワーク搬送速度を９９.０％と設定することができる。
【００１９】
このように降温ゾーンのワーク搬送速度を順次低速に設定しておけば、降温ゾーンにおいて匣鉢が収縮しても、前側の駆動ユニットから送り出されてきた匣鉢によって後側の駆動ユニット上の匣鉢が押されるので、匣鉢間に間隙が発生することがなくなり、炉内匣鉢の整列の乱れを防止することができる。この効果を得るためには、炉の後段部分における（後側の駆動ユニットのワーク搬送速度／その前側の駆動ユニットのワーク搬送速度）の値が、０．９５から１.００の範囲にあるように設定しておくことが好ましい。この値が１.００を超えると炉内匣鉢の整列の乱れを防止する効果が得られず、逆に０．９５未満であると後側の匣鉢が強く押され過ぎ、却って匣鉢が蛇行するおそれがあるからである。
【００２０】
上記のワーク搬送速度の設定例は一例を挙げたに過ぎず、加熱温度、駆動ユニットの個数などに応じて適宜設定することが好ましい。なお、理論的にはワーク搬送速度はローラ周速によって決定され、ローラ周速はローラ回転速度により決定されるはずである。しかし実際には、ローラ２の直径にはばらつきがあるうえ、ワーク搬送部分のローラ径が摩耗により減少していることがある。さらにローラ自体が湾曲していることもあるため、実際のワーク搬送状況を確認しながら各駆動ユニット５のワーク搬送速度を設定するべきである。
【００２１】
以上に説明したように、本考案のローラハースキルンは、チェーンの盛り上がりによる搬送トラブルを招くことなく、炉の後段部分における炉内匣鉢の整列の乱れを確実に防止することができる。
【００２２】
なお以上の説明は匣鉢を用いた場合について行ったが、セッターと呼ばれるセラミックのベース上にワークを載せて加熱する場合にも、本考案を同様に適用することができる。
【符号の説明】
【００２３】
１  駆動ユニット
２  ローラ
３  モータ
４  ねじ歯車
５  駆動シャフト
６  軸受
７  ねじ歯車
８  スプロケット
９  チェーン
１０  原動軸
１１  減速機
１２  トルクリミッタ
【図１】
0003173374.tif 000003
【図２】
0003173374.tif 000004
【図３】
0003173374.tif 000005
【図４】
0003173374.tif 000006
【図５】
0003173374.tif 000007
【図６】
0003173374.tif 000008
【図７】
0003173374.tif 000009